(57)【要約】【課題】  電子スチルカメラ等のストロボ発光可能な画像記録装置において、被写体の瞳孔を小さくさせるように作用する赤目緩和機能を作動させると、かえって、画像処理によって赤目を補正しようとする赤目修正機能が有効に作用しなくなる可能性がある。【解決手段】  赤目緩和機能と赤目修正機能が、同時に設定することができない構成とする。あるいは、赤目緩和機能と赤目修正機能が同時に設定された場合は、使用者に警告を行う。【選択図】  図７
2005151498.tif 000002
【特許請求の範囲】
【請求項１】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能とを各々独立して機能の作動・不作動とを設定可能な画像記録装置において、
前記設定手段は、両方同時に作動状態とはしないことを特徴とする画像記録装置および制御方法。
【請求項２】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能との一方がカメラの状態に応じて機能の作動・不作動が自動的に設定され、もう一方の機能の作動・不作動を手動設定可能な画像記録装置において、
前記設定手段は、両方同時に作動状態とはしないことを特徴とする画像記録装置および制御方法。
【請求項３】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能とを各々独立して機能の作動・不作動とを設定可能な画像記録装置において、
前記設定手段で、両方同時に作動状態としようとした場合、警告表示を行うことを特徴とする画像記録装置および制御方法。
【請求項４】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能との一方がカメラの状態に応じて機能の作動・不作動が自動的に設定され、もう一方の機能の作動・不作動を手動設定可能な画像記録装置において、
前記設定手段は、両方同時に作動状態としようとした場合、警告表示を行うことを特徴とする画像記録装置および制御方法。
【請求項５】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能とを各々独立して機能の作動・不作動とを設定可能な画像記録装置において、
前記設定手段で、赤目緩和機能の作動・不作動状態により、赤目修正機能の為の赤目検出パラメータを変化させることを特徴とする画像記録装置および制御方法。
【請求項６】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能及び赤目修正機能との一方がカメラの状態に応じて機能の作動・不作動が自動的に設定され、もう一方の機能の作動・不作動を手動設定可能な画像記録装置において、
前記設定手段で、赤目緩和機能の作動・不作動状態により、赤目修正機能の為の赤目検出パラメータを変化させることを特徴とする画像記録装置および制御方法。
【請求項７】
撮像した静止画像及び或いは動画像を記録媒体に記録及び再生表示する画像記録装置および制御方法であって、
撮像手段と、記録手段と、制御手段と、表示手段、及び赤目機能を設定する設定手段とを有し、
赤目機能は赤目緩和機能及び赤目修正機能のどちらか一方を自動的に選択する選択手段とを有する画像記録装置において、
撮影時の条件に応じて、赤目緩和機能・赤目修正機能を自動的に選択することを特徴とする画像記録装置および制御方法。
【請求項８】
撮影時の条件とは、撮影距離であることを特徴とする請求項７の画像記録装置および制御方法。
【請求項９】
撮影時の条件とは、撮影輝度であることを特徴とする請求項７の画像記録装置および制御方法。
【請求項１０】
撮像した静止画像及び或いは動画像を記録媒体に記録及び再生表示する画像記録装置および制御方法であって、
撮像手段と、記録手段と、制御手段と、表示手段、及び赤目緩和機能、赤目修正機能とを設定する設定手段とを有し、
赤目緩和機能が不作動状態でストロボ撮影を行い、画像データを取り込むことで、補正エリアの検出を行い、引き続き、赤目緩和機能を作動状態としてストロボ撮影を行い、画像データを取り込むことで、赤目修正機能を実行することを特徴とする画像記録装置および制御方法。
【発明の詳細な説明】
【技術分野】
【０００１】
本発明は、赤目緩和機能および赤目修正機能を有する画像記録装置及び画像記録制御方法に関する。
【背景技術】
【０００２】
従来、ストロボ発光モードが選択されている場合のみ、赤目軽減機能の設定手段による設定を可能にしたカメラが、開示されている（例えば、特許文献１参照）。
【特許文献１】特開平５−３４１３６１号公報
【発明の開示】
【発明が解決しようとする課題】
【０００３】
しかしながら、上記従来例においては、ストロボ発光モードにより、赤目緩和機能の設定を行うもので、赤目修正機能に関しては、考慮されているものではない。
【０００４】
また、赤目緩和機能と赤目修正機能とを、同時にONしたことを想定した場合、両方機能させた方が、効果が高いと考えがちであるが、赤目緩和機能を働かせると、赤目の確率は減るものの、完全に無くなる訳ではなく、一方、赤目修正機能を用いて、画像に加工を施す場合には、まず、赤目の発生する場所を特定する必要があり、その場合には、赤目緩和機能を働かせない方が、かえって場所の特定を行い易いことが充分に考えられる。
【課題を解決するための手段】
【０００５】
本発明に係る画像記録装置に於いては、第１に、赤目緩和機能及び赤目修正機能とを各々独立して機能の作動・不作動とを設定可能な画像記録装置において、前記設定手段は、両方同時に作動状態とはしないことを特徴とする。
【０００６】
第２に、赤目緩和機能及び赤目修正機能との一方がカメラの状態に応じて機能の作動・不作動が自動的に設定され、もう一方の機能の作動・不作動を手動設定可能な画像記録装置において、前記設定手段は、両方同時に作動状態とはしないことを特徴とする。
【０００７】
第３に、赤目緩和機能及び赤目修正機能とを各々独立して機能の作動・不作動とを設定可能な画像記録装置において、前記設定手段で、両方同時に作動状態としようとした場合、警告表示を行うことを特徴とする。
【０００８】
第４に、赤目緩和機能及び赤目修正機能との一方がカメラの状態に応じて機能の作動・不作動が自動的に設定され、もう一方の機能の作動・不作動を手動設定可能な画像記録装置において、前記設定手段は、両方同時に作動状態としようとした場合、警告表示を行うことを特徴とする。
【０００９】
第５に、赤目緩和機能及び赤目修正機能とを各々独立して機能の作動・不作動とを設定可能な画像記録装置において、前記設定手段で、赤目緩和機能の作動・不作動状態により、赤目修正機能の為の赤目検出パラメータを変化させることを特徴とする。
【００１０】
第６に、赤目緩和機能及び赤目修正機能との一方がカメラの状態に応じて機能の作動・不作動が自動的に設定され、もう一方の機能の作動・不作動を手動設定可能な画像記録装置において、前記設定手段で、赤目緩和機能の作動・不作動状態により、赤目修正機能の為の赤目検出パラメータを変化させることを特徴とする。
【００１１】
第７に、赤目機能は赤目緩和機能及び赤目修正機能のどちらか一方を自動的に選択する選択手段とを有する画像記録装置において、撮影時の条件に応じて、赤目緩和機能・赤目修正機能を自動的に選択することを特徴とする。
【００１２】
第８に、赤目緩和機能が不作動状態でストロボ撮影を行い、画像データを取り込むことで、補正エリアの検出を行い、引き続き、赤目緩和機能を作動状態として、ストロボ撮影を行い、画像データを取り込むことで、赤目修正機能を実行することを特徴とする。
【発明の効果】
【００１３】
本発明によれば、赤目緩和機能および赤目修正機能との両方の機能を同時に作動状態とはしないようにしたので、赤目修正を行う際の検出を行いやすく、かつ利便性のよい画像記録装置及び画像記録制御方法を提供することが可能となる。
【発明を実施するための最良の形態】
【００１４】
以下、本発明について、図面を参照しながら最良の実施例をあげて説明する。
【実施例１】
【００１５】
図１は、本発明の実施例の構成を示す図である。
【００１６】
図1において、１００は画像記録装置である。
【００１７】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１８】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。
【００２０】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２１】
さらに、画像処理回路２０においては、撮像した画像データを用いて所定の演算処理を行い、得られた演算結果に基づいてTTL方式のAWB（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２４】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２５】
画像表示部２８を用いて撮像した画像データを逐次表示すれば、電子ファインダー機能を実現することが可能である。
【００２６】
また、画像表示部２８は、システム制御回路５０の指示により任意に表示をON/OFFすることが可能であり、表示をOFFにした場合には画像処理装置１００の電力消費を大幅に低減することが出来る。
【００２７】
３０は撮影した静止画像や動画像を格納するためのメモリであり、所定枚数の静止画像や所定時間の動画像を格納するのに十分な記憶量を備えている。
【００２８】
これにより、複数枚の静止画像を連続して撮影する連写撮影やパノラマ撮影の場合にも、高速かつ大量の画像書き込みをメモリ３０に対して行うことが可能となる。
【００２９】
また、メモリ３０はシステム制御回路５０の作業領域としても使用することが可能である。
【００３０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
４０は絞り機能を備えるシャッター１２を制御する露光制御手段であり、フラッシュ４８と連携することによりフラッシュ調光機能も有するものである。
【００３２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３３】
４８はフラッシュであり、AF補助光の投光機能、フラッシュ調光機能も有する。
【００３４】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３５】
５０は画像処理装置１００全体を制御するシステム制御回路、５２はシステム制御回路５０の動作用の定数、変数、プログラム等を記憶するメモリである。
【００３６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３７】
また、表示部５４は、その一部の機能が光学ファインダー１０４内に設置されている。
【００３８】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付・時刻表示、等がある。
【００３９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４０】
５６は電気的に消去・記録可能な不揮発性メモリであり、例えばEEPROM等が用いられる。
【００４１】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４２】
ここで、これらの操作手段の具体的な説明を行う。
【００４３】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４４】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４５】
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４６】
６６は、赤目緩和機能設定釦で、フラッシュ撮影時において、瞳孔を縮小させる効果を狙って、撮影直前に補助光を被写体に対して投光する機能を設定するものである。
【００４７】
６８は、赤目修正機能設定釦で、赤目が発生したエリアを検出し、その箇所に対して、修正作業を施す機能を設定するものである。
【００４８】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００４９】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５０】
８２はコネクタ、８４はコネクタ、８６はアルカリ電池やリチウム電池等の一次電池やNiCd電池やNiMH電池、Li電池等の二次電池、ACアダプター等からなる電源手段である。
【００５１】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５２】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５３】
インターフェース及びコネクタとしては、PCMCIAカードやCF（コンパクトフラッシュ（登録商標））カード等の規格に準拠したものを用いて構成して構わない。
【００５４】
さらに、インターフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５５】
１０２は、画像処理装置１００のレンズ１０を含む撮像部を覆う事により、撮像部の汚れや破損を防止するバリアである保護手段である。
【００５６】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５７】
１１０は通信手段で、RS232CやUSB、IEEE1394、P1284、SCSI、モデム、LAN、無線通信、等の各種通信機能を有する。
【００５８】
１１２は通信手段１１０により画像処理装置１００を他の機器と接続するコネクタ或いは無線通信の場合はアンテナである。
【００５９】
２００はメモリカードやハードディスク等の記録媒体である。
【００６０】
記録媒体２００は、半導体メモリや磁気ディスク等から構成される記録部２０２、画像処理装置１００とのインターフェース２０４、画像処理装置１００と接続を行うコネクタ２０６を備えている。
【００６１】
２１０はメモリカードやハードディスク等の記録媒体である。
【００６２】
記録媒体２１０は、半導体メモリや磁気ディスク等から構成される記録部２１２、画像処理装置１００とのインターフェース２１４、画像処理装置１００と接続を行うコネクタ２１６を備えている。
【００６３】
図２乃至図７を参照して、実施例１の動作を説明する。
【００６４】
図２及び図３は本実施例の画像処理装置１００の主ルーチンのフローチャートを示す。
【００６５】
図２及び図３を用いて、画像処理装置１００の動作を説明する。
【００６６】
電池交換等の電源投入により、システム制御回路５０はフラグや制御変数等を初期化し（Ｓ１０１）、画像表示部２８の画像表示をOFF状態に初期設定する（Ｓ１０２）。
【００６７】
システム制御回路５０は、モードダイアル６０の設定位置を判断し、モードダイアル６０が電源OFFに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００６８】
モードダイアル６０が撮影モードに設定されていたならば（Ｓ１０３）、Ｓ１０６に進む。
【００６９】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００７０】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００７１】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００７２】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がONであったならば、画像表示部２８も用いて画像や音声により画像処理装置１００の各種設定状態の表示を行う。
【００７３】
クイックレビューフラグを解除する（Ｓ１１０）と共に、画像表示フラグを解除（Ｓ１１１）し、さらに、赤目機能の設定を行う(Ｓ１１２)。
【００７４】
この赤目機能の設定に関して、図７を用いて、説明を行う。
【００７５】
システム制御回路５０は、まず、赤目緩和機能、赤目修正機能共にOFFの状態とし（Ｓ７００）、赤目緩和設定釦が押されているかを検知し（Ｓ７０１）、もし押された場合、赤目緩和機能の状態を調べ（Ｓ７０２）、赤目緩和機能がONだった場合には、赤目緩和機能をOFFする（Ｓ７０３）。一方、赤目緩和機能がOFFだった場合には、赤目修正機能の状態を調べ（Ｓ７０４）、赤目修正機能がOFFだった場合には、赤目緩和機能をONする（Ｓ７０５）。また、赤目修正機能がONだった場合には、赤目修正機能をOFFすると共に、赤目緩和機能をONする（Ｓ７０６）。なお、ここでの動作は、この例にとらわれることなく、赤目緩和機能がONとならない旨の警告表示を行うようにしてもいいし、赤目緩和機能をONにした上で、赤目緩和機能をOFFにするように勧める表示を行ってもよい。
【００７６】
次に、赤目修正設定釦が押されているかを検知し（Ｓ７１０）、もし押された場合、赤目修正機能の状態を調べ（Ｓ７１１）、赤目修正機能がONだった場合には、赤目修正機能をOFFする（Ｓ７１２）。一方、赤目修正機能がOFFだった場合には、赤目緩和機能の状態を調べ（Ｓ７１３）、赤目緩和機能がOFFだった場合には、赤目修正機能をONする（Ｓ７１４）。また、赤目緩和機能がONだった場合には、赤目緩和機能をOFFすると共に、赤目修正機能をONする（Ｓ７１５）。
【００７７】
また、ここでは、赤目緩和機能と赤目修正機能とが、各々独立してON/OFFの設定が行えるようにしたが、一つの設定部材により、赤目緩和機能ON・赤目修正機能OFF、赤目緩和機能OFF・赤目修正機能ON、共にOFFの３状態を循環式に設定可能なような部材で構成してもよい。
【００７８】
また、赤目緩和機能と赤目修正機能のいずれか一方は、カメラの状態（例えば、撮影モード）に応じて、自動的に機能のON/OFFの設定がなされ、もう一方について、手動で機能のON/OFFが設定出来るようなものでもよい。
【００７９】
また、赤目緩和機能のON/OFF状態により、赤目修正機能の為の、赤目検出パラメータを変化させるようにしてもよい。
【００８０】
シャッタースイッチSW1が押されていないならば（Ｓ１１９）、Ｓ１０３に戻る。
【００８１】
シャッタースイッチSW1が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００８２】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００８３】
画像表示フラグが解除されていたならば（Ｓ１２０）、Ｓ１２２に進む。
【００８４】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００８５】
この測距・測光処理Ｓ１２２の詳細は図4を用いて後述する。
【００８６】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示ＨＢＧフラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００８７】
シャッタースイッチSW2が押されずに（Ｓ１２５）、さらにシャッタースイッチSW1も解除されたならば（Ｓ１２６）、Ｓ１０３に戻る。
【００８８】
シャッタースイッチSW2が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１２９に進む。
【００８９】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００９０】
画像表示フラグが解除されていたならば（Ｓ１２７）、Ｓ１２９に進む。
【００９１】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【００９２】
この撮影処理Ｓ１２９の詳細は図5を用いて後述する。
【００９３】
システム制御回路５０は、システム制御回路５０の内部メモリ或いはメモリ５２に記憶される画像表示フラグの状態を判断し（Ｓ１３０）、画像表示フラグが設定されていたならばクイックレビュー表示を行う（Ｓ１３３）。この場合は、撮影中も画像表示部２８が電子ファインダーとして常に表示された状態であり、撮影直後のクイックレビュー表示も行われる。
【００９４】
画像表示フラグが解除されていたならば（Ｓ１３０）、システム制御回路５０の内部メモリ或いはメモリ５２に記憶されるクイックレビューフラグの状態を判断し（Ｓ１３１）、クイックレビューフラグが設定されていたならば、画像表示部２８の画像表示をON状態に設定し（Ｓ１３２）、クイックレビュー表示を行う（Ｓ１３３）。
【００９５】
画像表示フラグが解除され（Ｓ１３０）、クイックレビューフラグも解除されていたならば（Ｓ１３１）、画像表示部２８がOFFの状態のままＳ１３４に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【００９６】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【００９７】
この記録処理Ｓ１３４の詳細は図６を用いて後述する。
【００９８】
記録処理Ｓ１３４が終了した際に、シャッタースイッチSW2が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【００９９】
連写フラグが設定されていないならば（Ｓ１３６）、シャッタースイッチSW2が放されるまで（Ｓ１３５）、現在の処理を繰り返す。
【０１００】
記録処理Ｓ１３４が終了した際にシャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ１３５）、所定のミニマムレビュー時間が経過した後にＳ１３８に進む（Ｓ１３７）。
【０１０１】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０１０２】
システム制御回路５０は、画像表示フラグが設定されていたならば（Ｓ１３８）、画像表示部２８の表示状態をスルー表示状態に設定して（Ｓ１３９）、Ｓ１４１に進む。
【０１０３】
この場合、画像表示部２８でのクイックレビュー表示によって撮影画像を確認した後に、次の撮影のために撮像した画像データを逐次表示するスルー表示状態にすることが出来る。
【０１０４】
画像表示フラグが解除されていたならば（Ｓ１３８）、画像表示部２８の画像表示をOFF状態に設定して（Ｓ１４０）、Ｓ１４１に進む。
【０１０５】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１０６】
シャッタースイッチSW1が押された状態であったならば（Ｓ１４１）、システム制御回路５０は、Ｓ１２５に戻って次の撮影に備える。
【０１０７】
シャッタースイッチSW1が放された状態であったならば（Ｓ１４１）、システム制御回路５０は、一連の撮影動作を終えてＳ１０３に戻る。
【０１０８】
このように、本発明によれば、赤目修正機能を有する画像記録装置において、赤目緩和機能との組み合わせにより、赤目修正機能がON時には、赤目検出をしやすいように、赤目緩和機能を作動させないことにより、赤目の発生している箇所を特定しやすく、かつ、利便性のよい赤目修正機能を有する画像記録装置を提供することが出来る。
【０１０９】
また、赤目緩和機能と赤目修正機能のどちらか一方を自動的に機能させるようにすれば、利便性のよい画像記録装置を提供することが出来る。この場合の実施例を図８および図９を用いて、後述する。
【０１１０】
また、赤目緩和の為の補助光投光を機能させて、赤目発生箇所を特定後、ストロボ撮影を行い、赤目修正を行うようにしてもよい。この場合の実施例を、図１０を用いて、後述する。
【０１１１】
図４は、図３のＳ１２２における測距・測光処理の詳細なフローチャートを示す。
【０１１２】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【０１１３】
なお、ここでの各処理は、撮影した全画素数のうちの必要に応じた特定の部分を必要個所分切り取って抽出し、演算に用いている。これにより、TTL方式のAE、EF、AWB、AFの各処理において、中央重点モード、平均モード、評価モードの各モード等の異なるモード毎に最適な演算を行うことが可能となる。
【０１１４】
画像処理回路２０での演算結果を用いて、システム制御回路５０は露出（AE）が適正と判断されるまで（Ｓ２０２）、露光制御手段４０を用いてAE制御を行う（Ｓ２０３）。
【０１１５】
AE制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。さらに、赤目緩和機能がONになっているか検知し(S20６)、もし、ONの場合には、赤目緩和の為の予備発光の照射を行う(S20７)。この予備発光は、目の瞳孔をより閉じさせることを目的とし、手段としては、ストロボ光の予備発光、補助光の投光、セルフタイマー用ランプの点灯など、種々の方法が考えられる。
【０１１６】
露出（AE）が適正と判断したならば（Ｓ２０２）、測定データ及び或いは設定パラメータをシステム制御回路５０の内部メモリ或いはメモリ５２に記憶する。
【０１１７】
画像処理回路２０での演算結果及びAE制御で得られた測定データを用いて、システム制御回路５０はホワイトバランス（AWB）が適正と判断されるまで（Ｓ２０８）、画像処理回路２０を用いて色処理のパラメータを調節してAWB制御を行う（Ｓ２０９）。
【０１１８】
ホワイトバランス（AWB）が適正と判断したならば（Ｓ２０８）、測定データ及び或いは設定パラメータをシステム制御回路５０の内部メモリ或いはメモリ５２に記憶する。
【０１１９】
AE制御及びAWB制御で得られた測定データを用いて、システム制御回路５０は測距（AF）が合焦と判断されるまで（Ｓ２１０）、測距制御手段４２を用いてAF制御を行う（Ｓ２１１）。
【０１２０】
測距（AF）が合焦と判断したならば（Ｓ２１０）、測定データ及び或いは設定パラメータをシステム制御回路５０の内部メモリ或いはメモリ５２に記憶し、測距・測光処理ルーチンＳ１２２を終了する。
【０１２１】
図５は、図３のＳ１２９における撮影処理の詳細なフローチャートを示す。
【０１２２】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１２３】
フラッシュフラグによりフラッシュ４８が必要か否かを判断し（Ｓ３０３）、必要な場合はフラッシュを発光させる（Ｓ３０４）。
【０１２４】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１２５】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１２６】
システム制御回路５０は、メモリ３０から画像データを読み出し、メモリ制御回路２２を介して画像表示メモリ２４に表示画像データの転送を行う（Ｓ３１１）。
【０１２７】
一連の処理を終えたならば、撮影処理ルーチンＳ１２９を終了する。
【０１２８】
図６は、図３のＳ１３４における記録処理の詳細なフローチャートを示す。
【０１２９】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１３０】
そして、メモリ３０に書き込まれた画像データを読み出して、設定したモードに応じた画像圧縮処理を圧縮・伸長回路３２により行った後（Ｓ４０２）、赤目修正機能のON/OFF状態に従って（Ｓ４０３）、ONの場合には、赤目修正処理を施す（Ｓ４０４）。この方法に関しては、例えば、３１１４１０３号公報等に詳しいので、ここでは、省略する。
【０１３１】
インターフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０５）。
【０１３２】
記録媒体への書き込みが終わったならば、記録処理ルーチンＳ１３４を終了する。
【実施例２】
【０１３３】
図８および図９は、本発明の実施例２について、説明したもので、実施例１と異なる箇所のみ、説明するものとする。
【０１３４】
図２におけるＳ１１２に代わって、図８のＳ２２０にて、赤目機能としての設定を行う。この設定例を図９に示す。また、赤目機能設定釦は、６６の赤目緩和機能設定釦に代わって存在するものとし、この場合には、６８の赤目修正機能設定釦は、存在しない。
【０１３５】
実施例２の特徴は、使用者は、赤目機能としての作動／不作動を選択し、撮影時の条件に従って、赤目緩和機能と赤目修正機能とのいずれかを自動的に選択して機能するようにしたものである。
【０１３６】
この場合、撮影距離が近い場合には、赤目緩和による瞳孔縮小で、充分に効果が得られるものとして赤目緩和機能を用い、遠い場合には、赤目修正機能を用いる例や、撮影輝度が低い場合には、同様に、効果が得やすいとして赤目緩和機能を用い、高い場合には、赤目修正機能を用いる例が考えられる。
【０１３７】
まず、赤目緩和機能、赤目修正機能共にOFFの状態とし（Ｓ９９０）、赤目機能設定釦が押されているかを検知し（Ｓ９０１）、もし押された場合、輝度の状態を調べ（Ｓ９０２）、もし、輝度が所定値よりも大きいと判断した場合には、赤目緩和機能をOFFすると共に、赤目修正機能をONする（Ｓ９０３）。一方、輝度が所定値よりも小さいと判断した場合には、赤目修正機能をＯＦＦすると共に、赤目緩和機能をONする（Ｓ９０４）。
【０１３８】
同様に、赤目機能設定釦が押されているかを検知し（Ｓ９１１）、もし押された場合、撮影距離の状態を調べ（Ｓ９１２）、もし、距離が所定値よりも大きいと判断した場合には、赤目緩和機能をOFFすると共に、赤目修正機能をONする（Ｓ９１３）。一方、距離が所定値よりも小さいと判断した場合には、赤目修正機能をＯＦＦすると共に、赤目緩和機能をONする（Ｓ９１４）。
【実施例３】
【０１３９】
図１０は、本発明の実施例３について、説明したもので、実施例１と異なる箇所のみ、説明するものとする。
【０１４０】
実施例３の特徴は、赤目緩和機能OFF状態で、ストロボ撮影を行い、画像データを取り込み、補正エリアの特定を行い、引き続き、赤目緩和機能ON状態で、ストロボ撮影を行い、画像データを取り込み、赤目修正を行うようにしたものである。
【０１４１】
まず、S1001にて、撮影回数ｎを１とし、S1002にて、赤目緩和の為のランプ照射を行い、撮影を開始する。S1003〜S1008は露光動作であり、これは、図５にS301〜306と同様である。S1009にて、撮影回数を判定し、１回目の場合には、画像より、赤目箇所の特定を行い(S1010)、赤目緩和ランプの照射をOFFし（S1011）、撮影回数を１カウントアップ（S1012）した後、S1003の露光動作に戻る。二度目の露光の場合には、S1009において、n=2なので、S1013〜S1017にメモリ書き込み〜表示画像データ転送までを行う。これは、図５のS307〜S311と同様である。
【０１４２】
以上、本発明の実施例の説明を行った。
【０１４３】
なお、赤目緩和機能設定釦６６と赤目修正機能設定釦６８は、それぞれ独立した構成として説明したが、赤目緩和機能設定釦６６と赤目修正機能設定釦６８を一つの兼用スイッチとしてまとめ、赤目緩和機能ON/赤目修正機能ON/共にOFFの3ポジションを備える構成としても勿論問題ない。
【０１４４】
また、赤目緩和機能の投光手段は、補助光を用いるものでも、ストロボのプリ発光を用いるものでもよい。また、赤目修正の方法は、一つの方法に限定されるものではない。
【０１４５】
なお、記録媒体２００及び２１０は、PCMCIAカードやコンパクトフラッシュ（登録商標）等のメモリカード、ハードディスク等だけでなく、マイクロDAT、光磁気ディスク、CD-RやCD-WR等の光ディスク、DVD等の相変化型光ディスク等で構成されていても勿論問題無い。
【０１４６】
また、記録媒体２００及び２１０がメモリカードとハードディスク等が一体となった複合媒体であっても勿論問題無い。さらに、その複合媒体から一部が着脱可能な構成としても勿論問題無い。
【０１４７】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０１４８】
また、画像処理装置１００に記録媒体２００或いは２１０が、単数或いは複数の任意の個数接続可能な構成であっても構わない。
【０１４９】
そして、画像処理装置１００に記録媒体２００及び２１０が装着する構成として説明したが、記録媒体は単数或いは複数の何れの組み合わせの構成であっても、勿論問題無い。
【図面の簡単な説明】
【０１５０】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである。
【図７】本実施例の赤目機能設定ルーチンのフローチャートである。
【図８】本発明の実施例２の測距・測光ルーチンのフローチャートである。
【図９】本発明の実施例２の赤目機能設定ルーチンのフローチャートである。
【図１０】本発明の実施例３の撮影ルーチンのフローチャートである。
【符号の説明】
【０１５１】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ 
５０  システム制御回路
５２  メモリ
５４  表示部
５６  不揮発性メモリ
６０  モードダイアルスイッチ
６２  シャッタースイッチSW1
６４  シャッタースイッチSW2
６６  赤目緩和機能設定釦
６８  赤目修正機能設定釦
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダー
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
【図１】
2005151498.tif 000003
【図２】
2005151498.tif 000004
【図３】
2005151498.tif 000005
【図４】
2005151498.tif 000006
【図５】
2005151498.tif 000007
【図６】
2005151498.tif 000008
【図７】
2005151498.tif 000009
【図８】
2005151498.tif 000010
【図９】
2005151498.tif 000011
【図１０】
2005151498.tif 000012